(57)【特許請求の範囲】
【請求項１】
カードトレイと、コントロールボタン、前記コントロールボタンと互いに抵触する係合部、ケースに設けられて前記カードトレイを進出させる第１の孔、及びケースに設けられて前記コントロールボタンを移動させる第２の孔を含むカードロックと、カードソケットリーフスプリングを含むコネクタとを備え、
前記カードロックは、前記コントロールボタンが前記第２の孔で内側へ移動すると、前記係合部と前記カードトレイの間を離れた状態に制御する時に、前記カードソケットリーフスプリングが圧縮状態から通常状態に回復し、前記カードロックのケースを貫通した前記第１の孔から前記カードトレイが外側へ飛び出し、
前記カードロックのケースを貫通した前記第１の孔から前記カードトレイが内側へ移動すると、前記カードソケットリーフスプリングが通常状態から圧縮状態に圧縮され、前記係合部と前記カードトレイの間がロック状態になることを特徴とするカード装着装置。
【請求項２】
前記コネクタは第１の本体を含み、前記第１の本体内に前記第１の本体を貫通する開放三角形の溝が形成され、前記開放三角形の溝内に三角形のカードソケットリーフスプリングが形成され、前記カードソケットリーフスプリングの第１の斜辺の一部が内側へ曲がって第２の斜辺を形成し、前記第１の斜辺と前記第２の斜辺は鋭角を形成し、前記カードソケットリーフスプリングの第３の斜辺の一部が内側へ曲がって第４の斜辺を形成し、前記第３の斜辺と前記第４の斜辺は鋭角を形成し、
前記第１の本体の上面、下面、左面及び右面のそれぞれは、前記カードソケットリーフスプリングの圧縮方向と反対の方向に所定の長さで延長し、前記所定の長さは前記カードトレイの長さよりも小さい又は等しいことを特徴とする請求項１に記載のカード装着装置。
【請求項３】
第１のシールリングをさらに含み、前記第１のシールリングは、前記コントロールボタンの第２の本体と第３の本体とが接する箇所に位置するとともに、前記カードロックのケースと相互に抵触し、前記第３の本体は、前記第２の本体を延長して得られる前記第２の本体と垂直な本体であり、前記第２の本体と、前記カードロックのケースを貫通した前記第２の孔が互いにマッチングすることを特徴とする請求項１に記載のカード装着装置。
【請求項４】
前記カードロックは、前記コントロールボタンと互いに抵触する第１のスプリングをさらに含み、前記係合部は第１の係合部及び第２の係合部を含み、
前記カードロックのケースを貫通した前記第２の孔から前記コントロールボタンが内側へ移動する時、前記第１の係合部は前記カードトレイから離れる第１の方向へ移動し、前記第２の係合部は前記カードトレイから離れる第２の方向へ移動し、前記第１のスプリングは通常状態から圧縮状態に圧縮され、
前記第１のスプリングが圧縮状態から通常状態に回復する時に、前記第１の係合部は前記カードトレイと接近する第３の方向へ移動し、前記第２の係合部は前記カードトレイと接近する第４の方向へ移動することを特徴とする請求項１に記載のカード装着装置。
【請求項５】
前記第１の係合部は、第２のスプリングと、第１のポートを介して前記第２のスプリングと互いに抵触する第１のロックバーとを含み、
前記第１のロックバーは第４の本体を含み、前記第４の本体内に前記第４の本体を貫通する第１の溝が形成され、前記第１の溝における前記第１のポートと近接する側面と、前記コントロールボタンの第１の側面が互いに抵触し、前記第４の本体における前記第１のポートと向き合う第２のポートと、前記カードトレイの第２の溝が互いに抵触することを特徴とする請求項４に記載のカード装着装置。
【請求項６】
前記第２の係合部は、第３のスプリングと、第３のポートを介して前記第３のスプリングと互いに抵触する第２のロックバーとを含み、
前記第２のロックバーは第５の本体を含み、前記第５の本体内に前記第５の本体を貫通する第３の溝が形成され、前記第３の溝における前記第３のポートと近接する側面と、前記カードトレイの第４の溝が互いに抵触し、前記第５の本体における前記第３のポートと向き合う第４のポートと、前記コントロールボタンの第２の側面が互いに抵触することを特徴とする請求項４に記載のカード装着装置。
【請求項７】
前記カードトレイは第６の本体を含み、前記第６の本体は少なくとも一つの前記第６の本体を貫通するカード位置ホールを含み、前記第６の本体の第３の側面から外側へ延長して前記第６の本体と垂直になる第７の本体を形成し、前記第７の本体と前記第１の孔が互いにマッチングし、
前記第３の側面に垂直な第４の側面に、前記第６の本体を貫通する前記第２の溝が形成され、前記第３の側面に垂直な第５の側面に、前記第６の本体を貫通する前記第４の溝が形成されることを特徴とする請求項５または６に記載のカード装着装置。
【請求項８】
第２のシールリングをさらに含み、前記第２のシールリングは、前記第６の本体と前記第７の本体が互いに接する箇所に位置することを特徴とする請求項７に記載のカード装着装置。
【発明の詳細な説明】
【相互参照】
【０００１】
本願は、出願番号が２０１４１０８２６４７７５であって、出願日が２０１４年１２月２５日である中国特許出願を基礎として優先権を主張し、当該中国特許出願の内容のすべてを本願に援用する。
【技術分野】
【０００２】
本発明は、カードを保存する分野に関し、さらに詳しくは、カード装着装置に関する。
【背景技術】
【０００３】
バッテリー着脱不可能な端末は、ＳＩＭ（Ｓｕｂｓｃｒｉｂｅｒ Ｉｄｅｎｔｉｔｙ Ｍｏｄｕｌｅ、加入者識別モジュール）カードのようなカードを保存する装置を提供することにより、ユーザーがバッテリー着脱不可能な状況でもカードを交換できるようにする。
【０００４】
関連技術で提供されるカード装着装置は、カードを保存するカードトレイと、当該カードトレイの第１の側面から外側へ延びて形成され、第１の側面と垂直する本体とを含み、当該本体の長さは、第１の側面の長さよりも大きく、カードトレイにおける第１の側面と向き合う第２の側面は、第１のレバーの第１のポートと相互に抵触し、第１のレバーの第２のポートは外側へ延長して回転軸を形成し、回転軸は外側へ延長して第２のレバーを形成し、第１のレバーおよび第２のレバーはカードトレイ側で鋭角を形成し、第２のレバーのポートは外側へ延長して、カードトレイの第３側辺と平行する第３のレバーを形成し、第３のレバーの本体上での投影位置に形成された円柱形のホールが当該本体を貫通する。
【０００５】
ユーザーが円柱形孔を通してプッシュピンで第３のレバーを押しながら内側へ移動させる時に、第２のレバー及び回転軸を介して第１のレバーを外側へ押しながら移動させることで、カードトレイを外側へ押し出す。
【発明の概要】
【０００６】
本発明は、プッシュピンで着脱不可能なバッテリーを備えた端末のカードを交換する場合において交換作業が煩雑になる問題を解決するために、カードの保存装置を提供する。
【０００７】
本発明の実施形態の第１の方面により提供されるカード装着装置は、カードトレイと、係合部及びコントロールボタンを含むカードロックと、カードソケットリーフスプリングを含むコネクタとを備え、
前記カードロックは、前記コントロールボタンの制御の下で、前記係合部と前記カードトレイの間を離れた状態に制御する時に、前記カードソケットリーフスプリングが圧縮状態から通常状態に回復し、前記カードロックのケースを貫通した第１の孔から前記カードトレイが外側へ飛び出し、
前記カードロックのケースを貫通した第１の孔から前記カードトレイが内側へ移動すると、前記カードソケットリーフスプリングが通常状態から圧縮状態に圧縮され、前記係合部と前記カードトレイの間がロック状態になる。
【０００８】
好ましくは、前記コネクタは第１の本体を含み、前記第１の本体内に前記第１の本体を貫通する開放三角形の溝が形成され、前記開放三角形の溝内に三角形のカードソケットリーフスプリングが形成され、前記カードソケットリーフスプリングの第１の斜辺の一部が内側へ曲がって第２の斜辺を形成し、前記第１の斜辺と前記第２の斜辺は鋭角を形成し、前記カードソケットリーフスプリングの第３の斜辺の一部が内側へ曲がって第４の斜辺を形成し、前記第３の斜辺と前記第４の斜辺は鋭角を形成し、
前記第１の本体の上面、下面、左面及び右面のそれぞれは、前記カードソケットリーフスプリングの圧縮方向と反対の方向に所定の長さで延長し、前記所定の長さは前記カードトレイの長さよりも小さい又は等しい。
【０００９】
好ましくは、第１のシールリングをさらに含み、前記第１のシールリングは、前記コントロールボタンの第２の本体と第３の本体が接する箇所に位置するとともに、前記カードロックのケースと相互に抵触し、前記第３の本体は、前記第２の本体が延長して得られる前記第２の本体と垂直な本体であり、前記第２の本体と、前記カードロックのケースを貫通した第２の孔が互いにマッチングする。
【００１０】
好ましくは、前記カードロックは、前記コントロールボタンと互いに抵触する第１のスプリング、第１の係合部及び第２の係合部をさらに含み、
前記カードロックのケースを貫通した第２の孔から前記コントロールボタンが内側へ移動する時、前記第１の係合部は前記カードトレイから離れる第１の方向へ移動し、前記第２の係合部は前記カードトレイから離れる第２の方向へ移動し、前記第１のスプリングは通常状態から圧縮状態に圧縮され、
前記第１のスプリングが圧縮状態から通常状態に回復する時に、前記第１の係合部は前記カードトレイと接近する第３の方向へ移動し、前記第２の係合部は前記カードトレイと接近する第４の方向へ移動する。
【００１１】
好ましくは、前記第１の係合部は、第２スプリングと、第１ポートを介して前記第２のスプリングと互いに抵触する第１ロックバーとを含み、
前記第１のロックバーは第４の本体を含み、前記第４の本体内に前記第４の本体を貫通する第１の溝が形成され、前記第１の溝における前記第１のポートと近接する側面と、前記コントロールボタンの第１の側面が互いに抵触し、前記第４の本体における前記第１のポートと向き合う第２のポートと、前記カードトレイの第２の溝が互いに抵触する。
【００１２】
好ましくは、前記第２の係合部は、第３スプリングと、第３のポートを介して前記第３のスプリングと互いに抵触する第２ロックバーとを含み、
前記第２のロックバーは第５の本体を含み、前記第５の本体内に前記第５の本体を貫通する第３の溝が形成され、前記第３の溝における前記第３のポートと近接する側面と、前記カードトレイの第４の溝が互いに抵触し、前記第５の本体における前記第３のポートと向き合う第４のポートと、前記コントロールボタンの第２の側面が互いに抵触する。
【００１３】
好ましくは、前記カードトレイは第６の本体を含み、前記第６の本体は少なくとも一つの前記第６の本体を貫通するカード位置ホールを含み、前記第６の本体の第３の側面から外側へ延長して前記第６の本体と垂直になる第７の本体を形成し、前記第７の本体と前記第１の孔が互いにマッチングし、
前記第３の側面と垂直する第４の側面に、前記第６の本体を貫通する前記第２の溝が形成され、前記第３の側面に垂直な第５の側面に、前記第６の本体を貫通する前記第４の溝が形成される。
【００１４】
好ましくは、第２のシールリングをさらに含み、前記第２のシールリングは、前記第６の本体と前記第７の本体が互いに接する箇所に位置する。
【００１５】
本発明の実施例に記載の技術方案によれば、下記のような有益な効果が得られる。
【００１６】
カードロックは、コントロールボタンの制御の下で、係合部とカードトレイの間を離れた状態に制御する時に、カードソケットリーフスプリングが圧縮状態から通常状態に回復し、カードロックのケースを貫通した第１の孔からカードトレイが外側へ飛び出すことにより、ユーザーはプッシュピンを使用する必要がなく、コントロールボタンを介してカードトレイのポップアップを制御することができ、プッシュピンで着脱不可能なバッテリーを備えた端末のカードを交換する場合、交換作業が煩雑になる問題を解決することができ、カードの交換効率を向上させる効果が得られる。
【００１７】
なお、前記の一般的な記載及び後述の詳細な記述は、単に例示的なものに過ぎず、本発明を限定するものではない。
【００１８】
ここで、図面は明細書に併合されて、本発明の明細書の一部を構成し、本発明に合致する実施例を示し、明細書と一緒に本発明の原理を解釈する。
【図面の簡単な説明】
【００１９】
【図１】一例示的実施形態に係るカード装着装置を示すブロック図である。
【図２】他の一例示的実施形態に係るカード装着装置を示すブロック図である。
【図３】一例示的実施形態に従うカードトレイのポップアップを示す説明図である。
【図４】一例示的実施形態によるカードトレイのロックを示す説明図である。
【図５】一例示的実施形態によるコネクタの構造を示す説明図である。
【図６】一例示的実施形態に係るカード装着装置の構造を示す説明図である。
【図７】一例示的実施形態による係合部の構造を示す説明図である。
【図８】一例示的実施形態による係合部の第１の構造を示す説明図である。
【図９】一例示的実施形態による係合部の第２の構造を示す説明図である。
【図１０】一例示的実施形態による第１のシールリングの一つ構成を示す説明図である。
【図１１】一例示的実施形態による第１のシールリングの他の一つ構成を示す説明図である。
【図１２】一例示的実施形態による第２のシールリングの一つ構成を示す説明図である。
【図１３】一例示的実施形態による第２のシールリングの他の一つ構成を示す説明図である。
【発明を実施するための形態】
【００２０】
ここで、例示的実施例について詳細に説明し、その事例を図面に表示する。下記の記載が図面に関連し、他の表示がない場合には、異なる図面における同じ番号は同じ或いは似ている要素を示す。下記の例示的実施例に記載した実施形態は、本発明に合致するすべての実施形態を代表していない。逆に、上記実施形態は、単に添付された特許請求の範囲に記載した本発明のいくつかの側面と合致した装置と方法の例である。
【００２１】
図１は、一例示的実施形態に係るカード装着装置を示すブロック図である。当該カード装着装置は端末に適用可能であり、図１に示すように、当該カード装着装置は、カードトレイ１１０、カードロック１２０、およびコネクタ１３０を含み、カードロック１２０は係合部及びコントロールボタンを含み、コネクタ１３０はカードソケットリーフスプリングを含む。
【００２２】
カードロック１２０は、コントロールボタンの制御の下で、係合部とカードトレイ１１０との間を離れた状態に制御する時に、カードソケットリーフスプリングが圧縮状態から通常状態に回復し、カードロック１２０のケースを貫通した第１の孔からカードトレイ１１０が外側へ飛び出す。
【００２３】
カードトレイ１１０が、カードロック１２０のケースを貫通した第１の孔から内側へ移動すると、カードソケットリーフスプリングが通常状態から圧縮状態に圧縮されて、係合部とカードトレイ１１０との間がロック状態になる。
【００２４】
上述したように、本発明が提供したカード装着装置は、カードロックがコントロールボタンの制御の下で、係合部とカードトレイの間を離れた状態に制御する時に、カードソケットリーフスプリングが圧縮状態から通常状態に回復し、カードロックのケースを貫通した第１の孔からカードトレイが外側へ飛び出すことで、ユーザーがプッシュピンを使用する必要がなく、コントロールボタンを介してカードトレイのポップアップを制御することができ、プッシュピンで着脱不可能なバッテリーを備えた端末カードを交換する場合の交換作業が煩雑になる問題を解決することができ、カードの交換効率を向上させる効果が得られる。
【００２５】
図２は、別の一例示的実施形態に係るカード装着装置を示すブロック図である。当該カード装着装置は端末に適用可能であり、図２に示すように、当該カード装着装置は、カードトレイ２１０、カードロック２２０、およびコネクタ２３０を含み、カードロック２２０は係合部２２１及びコントロールボタン２２２を含み、コネクタ２３０はカードソケットリーフスプリング２３１を含む。
【００２６】
カードトレイ２１０は、端末においてカードの保存に用いられる部品である。カードロック２２０は、コネクタ２３０と協働して、カードトレイ２１０の飛び出し、又はロックを制御する。カードトレイ２１０が飛び出すと、ユーザーはカードトレイ２１０に保存されたカードを交換することができ、カードトレイ２１０がロックされると、端末はカードを正常に使用することができる。
【００２７】
カードロック２２０は、コントロールボタン２２２の制御の下で、係合部２２１とカードトレイ２１０との間を離された状態に制御する時に、カードソケットリーフスプリング２３１が圧縮状態から通常状態に回復し、カードロック２２０のケースを貫通した第１の孔２２３からカードトレイ２１０が外側へ飛び出す。
【００２８】
カードトレイが飛び出す動作を示す図３の説明図を参照すると、ユーザーがコントロールボタン２２２を押すと、コントロールボタン２２２は、カードロック２２０の係合部２２１をカードトレイ２１０から遠くなるようにトリガーさせ、カードトレイ２１０と係合部２２１との間はもうロック状態にならない。この時、カードトレイ２１０とカードソケットリーフスプリング２３１は互いに抵触する状態になり、また、カードソケットリーフスプリング２３１が圧縮状態になるので、カードソケットリーフスプリング２３１は圧縮状態から通常状態に回復する。この時、互いに抵触するカードトレイ２１０が第１の孔２２３から押されて出て来る。言い換えると、カードトレイ２１０が第１の孔２２３から飛び出す。
【００２９】
カードトレイ２１０は、カードロック２２０のケースを貫通した第１の孔２２３から内側へ移動すると、カードソケットリーフスプリング２３１は通常状態から圧縮状態に圧縮されて、係合部２２１とカードトレイ２１０との間はロック状態になる。
【００３０】
カードトレイのロック状態を示す図４の説明図を参照すると、ユーザーがカードトレイ２１０を第１の孔２２３に入れるとともに内側へ押し込むと、カードトレイ２１０とカードソケットリーフスプリング２３１は互いに抵触し、カードソケットリーフスプリング２３１は通常状態から圧縮状態に圧縮される。この時、カードトレイ２１０と係合部２２１はロック状態になる。
【００３１】
以下、コネクタ２３０、カードロック２２０及びカードトレイ２１０の構造について、それぞれ説明する。
【００３２】
１．コネクタ２３０
コネクタ２３０は、カードトレイ２１０と係合部２２１との間が離れた状態になる時に、カードトレイ２１０を飛び出させるためのものである。ここで、コネクタ２３０は、カードトレイ２１０を飛び出させるためのカードソケットリーフスプリングを含んでもよく、カードトレイ２１０を飛び出させるためのスプリングを含んでもよい。また、カードトレイ２１０の飛び出しが可能な弾性を有する他の部品をさらに含んでもよい。本実施例は、これに対して限定しない。
【００３３】
ここで、コネクタ２３０がカードソケットリーフスプリング又はスプリングを含む場合に、カードソケットリーフスプリング又はスプリングを溝に設置してもよく、また、カードソケットリーフスプリング又はスープラングを溝に設置しなくてもよい。本実施例は、これに対して限定しない。
【００３４】
本実施例は、コネクタ２３０がカードソケットリーフスプリング２３１を含み、また、カードソケットリーフスプリング２３１が溝に設置されたことを例に挙げて説明する。コネクタの構造を示す図５の説明図を参照すると、コネクタ２３０は、第１の本体を含み、第１の本体内に第１の本体を貫通した開放三角形の溝２３２が形成され、開放三角形の溝２３２内に三角形のカードソケットリーフスプリング２３１が形成され、カードソケットリーフスプリング２３１の第１の斜辺２３３の一部が内側へ曲がって第２の斜辺２３４を形成し、第１の斜辺２３３と第２の斜辺２３４は鋭角を形成し、カードソケットリーフスプリング２３１の第３の斜辺２３５の一部が内側へ曲がって第４の斜辺２３６を形成し、第３の斜辺２３５と第４の斜辺２３６は鋭角を形成する。
【００３５】
第１の本体の上面、下面、左面及び右面のそれぞれは、カードソケットリーフスプリング２３１の圧縮方向と反対の方向に所定の長さで延長され、所定の長さは、カードトレイ２１０の長さよりも小さい又は等しい。
【００３６】
ここで、開放三角形の溝２３２は、２つの斜辺が交差していない三角形の溝を指す。当該開放三角形の溝２３２は、カードソケットリーフスプリング２３１を設置するためのものである。
【００３７】
カードソケットリーフスプリング２３１は、第１の斜辺２３３及び第２の斜辺２３４を含み、第２の斜辺２３４は、第１の斜辺２３３が内側へ曲がって形成されたものであり、第２の斜辺２３４と第１の斜辺２３３は鋭角を形成し、第１の斜辺２３３がカードトレイ２１０に押されて内側に移動すると、第２の斜辺２３４と三角形の底辺が互いに抵触して、カードソケットリーフスプリング２３１が圧縮状態になるようにする。同様に、カードソケットリーフスプリング２３１に備えられる第３の斜辺２３５と第４の斜辺２３６も鋭角を形成し、第４の斜辺２３６がカードトレイ２１０に押されて内側へ移動すると、第３の斜辺２３５と三角形の底辺が互いに抵触して、カードソケットリーフスプリング２３１が圧縮状態になるようにする。
【００３８】
本実施例は、第１の本体の上面、下面、左面及び右面のそれぞれを、カードソケットリーフスプリング２３１の圧縮方向と反対の方向に所定の長さで延長して保護カバーを形成することにより、カードと端末の一部の部品を隔離させる。
【００３９】
ここで、延長された所定の長さを、カードトレイ２１０の長さよりも小さくすることにより、カードトレイ２１０のロック時にカードソケットリーフスプリング２３１を圧力状態にすることを確保できる。
【００４０】
２．カードロック２２０
本実施例において、カードロック２２０はコントロールボタン２２２と互いに抵触する第１のスプリング２２４と、第１の係合部２２１ａ及び第２の係合部２２１ｂを含む。
【００４１】
カードロック２２０のケースを貫通した第２の孔２２５からコントロールボタン２２２が内側へ移動すると、第１の係合部２２１ａはカードトレイ２１０から離れる第１の方向へ移動し、第２の係合部２２１ｂはカードトレイ２１０から離れる第２の方向へ移動して、第１のスプリング２２４は通常状態から圧縮状態に圧縮される。
【００４２】
カード装着装置の構造を示す図６の説明図を参照すると、第１のスプリング２２４が圧縮状態から通常状態に回復されると、第１の係合部２２１ａはカードトレイ２１０と近接する第３の方向へ移動し、第２の係合部２２１ｂはカードトレイ２１０と近接する第４の方向に移動する。
【００４３】
ここで、第１のスプリング２２４とコントロールボタン２２２は互いに抵触し、ユーザーがコントロールボタン２２２を押すと、コントロールボタン２２２が第１のスプリング２２４を内側へ押して移動させ、第１のスプリング２２４は通常状態から圧縮状態に圧縮され、ユーザーが手を離した場合、第１のスプリング２２４は圧縮状態から通常状態に回復し、コントロールボタン２２２を外側へ押して移動させる。
【００４４】
係合部２２１は、第１の係合部２２１ａ及び第２の係合部２２１ｂを含む。ここで、コントロールボタン２２２が内側へ移動すると、第１の係合部２２１ａはカードトレイ２１０から離れる第１の方向に移動し、第２の係合部２２１ｂはカードトレイ２１０から離れる第２の方向に移動する。この時、第１係合部２２１ａとカードトレイ２１０との間はもうロック状態にならず、第２の係合部２２１ｂとカードトレイ２１０との間ももうロック状態にならない。第１のスプリング２２４が圧縮状態から通常状態に回復すると、第１の係合部２２１ａはカードトレイ２１０と接近する第３の方向へ移動する。第２の係合部２２１ｂはカードトレイ２１０と接近する第４の方向へ移動する。この時、第１の係合部２２１ａとカードトレイ２１０との間はロック状態になり、第２の係合部２２１ｂとカードトレイ２１０との間もロック状態になる。
【００４５】
１）係合部の構造を示す図７の説明図を参照すると、第１の係合部２２１ａは、第２のスプリング２２１ａ１及び第１のポート２２１ａ２を介して第２のスプリング２２１ａ１と互いに抵触する第１のロックバー２２１ａ３を含む。第１のロックバー２２１ａ３は第４の本体を含み、第４の本体内に第４の本体を貫通する第１の溝２２１ａ４が形成され、第１の溝２２１ａ４で第１のポート２２１ａ２と接近する側面とコントロールボタン２２２の第１の側面が互いに抵触し、第４の本体で第１のポート２２１ａ２と対向する第２のポート２２１ａ５とカードトレイの第２の溝２１１が互いに抵触する。
【００４６】
第１のロックバー２２１ａ３は、第１のポート２２１ａ２を介して第２のスプリング２２１ａ１と互いに抵触し、第１のポート２２１ａ２を介して第２のスプリング２２１ａ１と互いに接続することもできる。本発明は、これに対して限定しない。
【００４７】
本発明の実施例では、コントロールボタン２２２が台形のボタンであってもよく、端末の外側に位置する辺の長さが端末の内側に位置する辺の長さよりも長い。
【００４８】
ここで、第１のロックバー２２１ａ３は第１の溝２２１ａ４を含み、第１の溝２２１ａ４で第１のポート２２１ａ２と接近する側面とコントロールボタン２２２の第１の側面が互いに抵触し、ユーザーがコントロールボタン２２２を押すと、コントロールボタン２２２は互いに抵触する第１の側面を介して第１のロックバー２２１ａ３を第１の方向へ押して移動させることにより、第２のポート２２１ａ５と第２の溝２１１がもう互いに抵触しないようにし、第１のロックバー２２１ａ３と係合部２１０は、もうロック状態にならないようにする。この時、第１のロックバー２２１ａ３は、第２のスプリング２２１ａ１を通常状態から圧縮状態に圧縮する。係合部の一つの一部構造を示す図８の説明図を参照すればよい。
【００４９】
ユーザーが手を離した場合、第２のスプリング２２１ａ１は圧縮状態から通常状態に回復され、第１のロックバー２２１ａ３を第３の方向へ押して移動させ、第２のポート２２１ａ５と第２の溝２１１が互いに抵触し、第１のロックバー２２１ａ３と係合部２１０がロック状態になる。
【００５０】
２）図７を参照すると、第２の係合部２２１ｂは、第３のスプリング２２１ｂ１及び第３のポート２２１ｂ２を介して第３のスプリング２２１ｂ１と互いに抵触する第２のロックバー２２１ｂ３を含む。
【００５１】
第２のロックバー２２１ｂ３は第５の本体を含み、第５の本体内に第５の本体を貫通する第３の溝２２１ｂ４が形成され、第３の溝２２１ｂ４で第３のポート２２１ｂ２と近接する側面とカードトレイ２１０の第４の溝２１２が互いに抵触し、第５の本体の第３の溝２２１ｂ２と向き合う第４のポート２２１ｂ５と、コントロールボタン２２２の第２の側面が互いに抵触する。
【００５２】
第２のロックバー２２１ｂ３は、第３のポート２２１ｂ２を介して第３のスプリング２２１ｂ１と互いに抵触し、第３のポート２２１ｂ２を介して第３のスプリング２２１ｂ１と互いに接続することができる。本実施例はこれについて限定しない。
【００５３】
ここで、第４のポート２２１ｂ５と、コントロールボタン２２２の第２の側面が互いに抵触して、ユーザーがコントロールボタン２２２を押すと、このコントロールボタン２２２は、互いに抵触する第２の側面を介して第２のロックバー２２１ｂ３を押して、第２の方向へ移動するようにし、第３の溝２２１ｂ４の第３ポート２２１ｂ２と接近する側面とカードトレイ２１０の第４の溝２１２が互いに抵触するため、この時に、第３のポート２２１ｂ２と第４の溝２１２はもう抵触しなくなり、第２のロックバー２２１ｂ３と係合部２１０はもうロック状態にならない。
【００５４】
この時、第２のロックバー２２１ｂ３の第３のポート２２１ｂ２は、第３のスプリング２２１ｂ１を通常状態から圧縮状態に圧縮する。係合部の他の一つの一部構造を示す図９の説明図を参照すればよい。
【００５５】
ユーザーが手を離した場合、第３のスプリング２２１ｂ１は圧縮状態から通常状態に回復し、第２のロックバー２２１ｂ３を押して第４の方向へ移動するようにし、第３の溝２２１ｂ４の第３ポート２２１ｂ２と接近する側面と第４の溝２１２は互いに抵触して第２のロックバー２２１ｂ３と係合部２１０はロック状態になる。
【００５６】
好ましくは、カード装着装置は、第１のシールリング２４０をさらに含み、第１のシールリング２４０は、コントロールボタン２２２の第２の本体２２２ａと第３の本体２２２ｂが接した部位に位置し、また、カードロック２２０のケースと相互に抵触し、第３の本体２２２ｂは、第２の本体２２２ａが延長して形成され、第２の本体２２２ａの本体と垂直になる本体であり、第２の本体２２２ａは、カードロック２２０のケースを貫通する第２の孔２２５と互いにマッチングする。
【００５７】
ここで、第１のシールリングの一つの構成を示す図１０の説明図を参照すると、第１のシールリング２４０は、第２の孔２２５とコントロールボタン２２２を密封する。
【００５８】
コントロールボタン２２２の第２の本体２２２ａと第２の孔２２５が互いにマッチングされるが、水や埃などの不純物が第２の本体２２２ａと第２の孔２２５との間の隙間を介して端末に入るため、端末の防水性及び防塵性を向上させるために、第２の孔２２５とコントロールボタン２２２との間に第１のシールリング２４０が設けられる。
【００５９】
ここで、第１のシールリングの他の一つ構成を示す図１１の説明図を参照すると、第１のシールリング２４０は、第２の本体２２２ａと第３の本体２２２ｂが接する部位に設置されて、カードロック２２０のケースと相互に抵触して、第２の孔２２５を介して端末に入る水や埃などの不純物を塞ぐことができる。
【００６０】
３．カードトレイ２１０
本実施例において、カードトレイ２１０は第６の本体２１３を含み、第６の本体２１３は、第６の本体２１３を貫通する少なくとも一つのカード位置ホール２１４を含み、第６の本体２１３の第３の側面から外側に延長して、第６の本体２１３と垂直になる第７の本体２１５を形成し、第７の本体２１５と第１の孔２２３は、互いにマッチングする。
【００６１】
第３の側面２１６と垂直する第４の側面２１７に、第６の本体２１３を貫通する第２の溝２１１が形成され、第３の側面２１６に垂直な第５の側面２１８に、第６の本体２１３を貫通する第４の溝２１２が形成される。
【００６２】
本実施例では、カードトレイ２１０に、端末に使用される異なるカードの形状に応じてカード位置ホール２１４が形成される。例えば、メモリカードのためにカード位置ホール２１４が設置されることがあり、ＳＩＭカードのためにカード位置ホール２１４が設置されるなどがある。ここで、ＳＩＭカードの形状も異なる場合があり、ＳＩＭカードの形状に応じて異なるカード位置ホール２１４が設けられる場合もある。
【００６３】
なお、カードトレイ２１０は少なくとも一つのカード位置ホール２１４を含んでもよい。例えば、メモリカードを保存するための一つのカード位置ホール２１４と、ＳＩＭカードを保存するための一つのカード位置ホール２１４を含んでもよく、又は、二つのＳＩＭカードを保存するためのカード位置ホール２１４を含んでもよい。本実施例はこれに対して限定しない。
【００６４】
ここで、第２の溝２１１とカード位置ホール２１４は交差せず、第３の溝２１２とカード位置ホール２１４も交差しない。
【００６５】
好ましくは、カード装着装置は第２のシールリング２５０をさらに含んでもよい。第２のシールリング２５０は、第６の本体２１３と第７の本体２１５が接する箇所に位置する。
【００６６】
ここで、第２のシールリングの１種類を示す図１２の説明図を参照すると、第２のシールリング２５０は、第１の孔２２３とカードトレイ２１０を密封する。カードトレイ２１０の第７の本体２１５と、第１の孔２２３が互いにマッチングされるが、水や埃などの物質は、第７の本体２１５と第１の孔２２３との間の隙間を介して端末に入る可能性がある。このため、端末の防水性及び防塵性を向上するために、第７の本体２１５と第１の孔２２３との間に第２のシールリング２５０が設置される。
【００６７】
ここで、第２のシールリングの他の一種類を示す図１３の説明図を参照すると、第２のシールリング２５０は、第６の本体２１３と第７の本体２１５が接する部位に位置して第１の孔２２３を介して端末に入る水や埃を塞ぐ。
【００６８】
上述したように、本発明が提供したカード装着装置は、カードロックがコントロールボタンの制御の下で、係合部とカードトレイの間を離れた状態に制御する時に、カードソケットリーフスプリングが圧縮状態から通常状態に回復することにより、カードトレイは、カードロックケースを貫通した第１の孔から外側へ飛び出し、ユーザーは、プッシュピンを使用する必要がなく、コントロールボタンでカードトレイのポップアップを制御することができ、交換作業が煩雑になる問題を解決することができ、カードの交換効率を向上させる効果が得られる。
【００６９】
また、第２の本体と第３の本体が接する部位に第１のシールリングを設置し、第６の本体と第７の本体が接する部位に第２のシールリングを設置することで、水や埃などの不純物が端末に入ることを防止でき、端末の防水性及び防塵性を向上することができる。
【００７０】
当業者は、明細書を考慮して発明を実施した後、本発明の他の実施案を容易に考え出すことができる。本発明は、本発明に対する任意の変形、用途、または適応性の変化を含むことを意図する。このような変形、用途、または適応性の変化は、本発明の一般的な原理に基づき、かつ本発明が公開していない本技術分野の公知の知識や慣用の技術手段を含む。明細書及び実施形態は単なる例示であり、本発明の範囲及び精神は特許請求の範囲に提示される。
【００７１】
なお、本発明は、上記で既に記載され図示された構造に限定されず、その範囲を逸脱しない前提で各種の変更や修正を行うことができる。本発明の範囲は、添付された特許請求の範囲のみにより限定される。
【図１】
0006285575.tif 000002
【図２】
0006285575.tif 000003
【図３】
0006285575.tif 000004
【図４】
0006285575.tif 000005
【図５】
0006285575.tif 000006
【図６】
0006285575.tif 000007
【図７】
0006285575.tif 000008
【図８】
0006285575.tif 000009
【図９】
0006285575.tif 000010
【図１０】
0006285575.tif 000011
【図１１】
0006285575.tif 000012
【図１２】
0006285575.tif 000013
【図１３】
0006285575.tif 000014